(57)【特許請求の範囲】
【請求項１】
血液に含まれる成分と反応した試薬の色の変化に基づいて前記成分を分析する血液成分分析装置であって、
前記血液が付着した試験片に向けてパルス光を発光する発光手段と、
前記パルス光が前記試験片で反射された反射光を受光して電気信号に変換する受光手段と、
前記電気信号を濾波することによって当該電気信号の交流成分を抑制した濾波後の電気信号を生成するフィルタリング手段と、
前記パルス光の消灯中と発光中での前記出力信号の信号レベルに基いて前記成分の量を算出する算出手段と、
前記フィルタリング手段による濾波前の電気信号と前記濾波後の電気信号とを差動増幅して出力信号を得る差動増幅手段と、を有し、
前記差動増幅手段は、
前記濾波前の電気信号が入力される第１バッファ部と、
前記濾波後の信号が入力される第２バッファ部と、
前記第１バッファ部の出力端が電気的に接続される第１入力端と前記第２バッファ部の出力端が電気的に接続される第２入力端とを有しており、前記第１入力端と前記第２入力端との間の信号を差動増幅して外乱光の影響を低減した前記出力信号を得る第３アンプ部と、
前記第３アンプ部の前記第１入力端または前記第２入力端に接続されて、調整用電圧を印加するディジタルアナログ変換手段と、
を有することを特徴とする血液成分分析装置。
【請求項２】
前記フィルタリング手段は、ローパスフィルタを有することを特徴とする請求項１に記載の血液成分分析装置。
【請求項３】
前記濾波後の信号は、太陽光の受光に起因する電圧上昇分の電圧に対応することを特徴とする請求項１または２に記載の血液成分分析装置。
【請求項４】
前記算出手段は、前記パルス光の消灯中での前記出力信号の信号レベルと、前記パルス光の発光中での前記出力信号の信号レベルとの差分に基いて、前記成分の量を算出することを特徴とする請求項１〜３のいずれか１項に記載の血液成分分析装置。
【請求項５】
前記受光手段は、パルス光を受光して光電流を生成する受光素子を有し、
前記血液成分分析装置は、さらに、
前記受光素子によって生成された光電流を電流電圧変換して前記電気信号を生成する電流電圧変換手段を有することを特徴とする請求項１〜４のいずれか１項に記載の血液成分分析装置。
【請求項６】
パルス光を受光して電気信号に変換する受光手段と、
前記電気信号を濾波することによって当該電気信号の交流成分を抑制した濾波後の電気信号を生成するフィルタリング手段と、
前記フィルタリング手段による濾波前の電気信号と前記濾波後の電気信号とを差動増幅して出力信号を得る差動増幅手段と、を有し、
前記差動増幅手段は、
前記濾波前の電気信号が入力される第１バッファ部と、
前記濾波後の信号が入力される第２バッファ部と、
前記第１バッファ部の出力端が電気的に接続される第１入力端と前記第２バッファ部の出力端が電気的に接続される第２入力端とを有しており、前記第１入力端と前記第２入力端との間の信号を差動増幅して外乱光の影響を低減した前記出力信号を得る第３アンプ部と、
前記第３アンプ部の前記第１入力端または前記第２入力端に接続されて、調整用電圧を印加するディジタルアナログ変換手段と、
を有することを特徴とする血液成分分析装置用の受光回路。
【発明の詳細な説明】
【技術分野】
【０００１】
本発明は、血液成分分析装置および血液成分分析装置用の受光回路に関する。
【背景技術】
【０００２】
近年、血糖測定装置など血液成分分析装置の小型化および軽量化に伴って屋外で成分分析をする機会が増加している。しかし、光学式の血液成分分析装置においては、屋外での成分分析は外乱光による影響を受ける場合がある。光学的に血糖を測定する血糖測定装置を例にとると、屋外で血糖を測定する際、太陽光などの外乱光の影響により測定誤差が生じる場合がある。外乱光による測定誤差を軽減する技術としては、下記の特許文献１の光学測定装置が知られている。特許文献１の光学測定装置では、血糖値を算出する段階において、発光素子の点灯時の受光量から発光素子の消灯時の受光量を差し引くことにより、外乱光の影響による測定誤差を軽減している。
【先行技術文献】
【特許文献】
【０００３】
【特許文献１】特開２００８−２３２６６２号公報
【発明の概要】
【発明が解決しようとする課題】
【０００４】
しかしながら、外乱光が強い場合では、発光素子の点灯時の受光量から発光素子の消灯時の受光量を差し引く前の段階において、受光量に対応する電気信号を増幅する際に既に電気信号が検出限界電圧まで飽和してしまうおそれがある。このように、電気信号が飽和してしまった場合には、上記先行技術のように発光素子の点灯時の受光量から発光素子の消灯時の受光量を差し引くだけでは、血糖を正確に測定することが難しい。
【０００５】
本発明は、上述した問題を解決するためのなされたものである。したがって、本発明の目的は、外乱光が強い場合でも、受光量に対応する電気信号が検出限界電圧まで飽和することを防止する血液成分分析装置を提供することである。
【０００６】
また、本発明の他の目的は、上記血液成分分析装置用の受光回路を提供することである。
【課題を解決するための手段】
【０００７】
本発明の上記目的は、下記の手段によって達成される。
【０００８】
本発明の血液成分分析装置は、血液に含まれる成分と反応した試薬の色の変化に基づいて前記成分を分析する血液成分分析装置であって、前記血液が付着した試験片に向けてパルス光を発光する発光手段と、前記パルス光が前記試験片で反射された反射光を受光して電気信号に変換する受光手段と、前記電気信号を濾波することによって当該電気信号の交流成分を抑制した濾波後の電気信号を生成するフィルタリング手段と、前記パルス光の消灯中と発光中での前記出力信号の信号レベルに基いて前記成分の量を算出する算出手段と、前記フィルタリング手段による濾波前の電気信号と前記濾波後の電気信号とを差動増幅して出力信号を得る差動増幅手段と、を有し、前記差動増幅手段は、前記濾波前の電気信号が入力される第１バッファ部と、前記濾波後の信号が入力される第２バッファ部と、
前記第１バッファ部の出力端が電気的に接続される第１入力端と前記第２バッファ部の出力端が電気的に接続される第２入力端とを有しており、前記第１入力端と前記第２入力端との間の信号を差動増幅して外乱光の影響を低減した前記出力信号を得る第３アンプ部と、前記第３アンプ部の前記第１入力端または前記第２入力端に接続されて、調整用電圧を印加するディジタルアナログ変換手段と、を有することを特徴とする。
【０００９】
本発明の受光回路は、血液成分分析装置用の受光回路であって、パルス光を受光して電気信号に変換する受光手段と、前記電気信号を濾波することによって当該電気信号の交流成分を抑制した濾波後の電気信号を生成するフィルタリング手段と、前記フィルタリング手段による濾波前の電気信号と前記濾波後の電気信号とを差動増幅して出力信号を得る差動増幅手段と、を有し、前記差動増幅手段は、前記濾波前の電気信号が入力される第１バッファ部と、前記濾波後の信号が入力される第２バッファ部と、前記第１バッファ部の出力端が電気的に接続される第１入力端と前記第２バッファ部の出力端が電気的に接続される第２入力端とを有しており、前記第１入力端と前記第２入力端との間の信号を差動増幅して外乱光の影響を低減した前記出力信号を得る第３アンプ部と、前記第３アンプ部の前記第１入力端または前記第２入力端に接続されて、調整用電圧を印加するディジタルアナログ変換手段と、を有することを特徴とする。
【発明の効果】
【００１０】
本発明によれば、外乱光が強い場合でも、受光量に対応する電気信号が検出限界電圧まで飽和することを防止するので、外乱光による影響を低減することができ、太陽光下など明るい場所においても成分分析が可能となる。
【図面の簡単な説明】
【００１１】
【図１】本発明の一実施の形態における血液成分分析装置を説明するためのブロック図である。
【図２】図１に示す受光処理回路を説明するためのブロック図である。
【図３】図２に示される受光処理部１６０の回路の一例を示す図である。
【図４】図２および図３に示す受光処理部の動作を説明するための波形図である。
【図５】図２に示す受光処理部に対する比較例を示す図である。
【図６】図２に示される受光処理部の回路の他の例を示す図である。
【発明を実施するための形態】
【００１２】
以下、添付した図面を参照して本発明の血液成分分析装置およびその受光回路の実施の形態を説明する。なお、図中、同一の部材には同一の符号を用いる。
【００１３】
（実施の形態）
図１は、本発明の一実施の形態における血液成分分析装置を説明するためのブロック図である。本実施の形態の血液成分分析装置は、受光量に対応する電気信号をローパスフィルタで濾波させることによって外乱光による電圧上昇分を抽出する。そして、この電圧上昇分を電気信号から差し引くように差動増幅することにより、電気信号が検出限界電圧まで飽和することを防止するものである。なお、以下では本実施の血液成分分析装置の主要部について説明し、従来の血液成分分析装置と同様の部分については説明を省略する。
【００１４】
本実施の形態では、血液に含まれるグルコースと反応した試薬の色の変化に基づいて血糖値を測定する比色式血糖測定装置を例示して説明する。比色式血糖測定装置では、血液が付着した試験紙（試験片）に光を照射し、試験紙からの反射光を受光して血液と反応した試薬の色の変化に基づいて血液に含まれる成分を分析する。試験紙には、血液中のグルコースに反応して発色する試薬が含まれており、グルコース濃度が濃くなるほど試験紙の発色が濃くなる。この発色濃度の違いにより受光量が変化することを利用して血糖値を測定する。
【００１５】
図１に示すとおり、本実施の形態の血液成分分析装置（比色式血糖測定装置）１００は、演算制御部１１０、装着部１２０、発光素子１３０、発光駆動部１４０、受光素子１５０、受光処理部１６０、操作部１８０、表示部１９０を有する。なお、受光素子１５０と受光処理部１６０とを合わせて、受光回路１７０を構成する。以下、図１に示す各構成要素を順に説明する。
【００１６】
演算制御部１１０は、血液成分分析装置１００の全体制御および血糖値の算出を実行するものである。より具体的には、演算制御部１１０は、たとえばＣＰＵ、メモリ、通信回路などを含む周辺回路を備えており、操作部１８０、発光駆動部１４０、受光処理部１６０、および表示部１９０と電気的に接続されている。演算制御部１１０は、操作部１８０を介して入力される、操作者からの指示に応じて血液成分分析装置１００を起動し、所定の手順にしたがって測定処理を実行する。
【００１７】
血液成分分析装置１００の起動手順および測定処理手順は、ＲＯＭなどの不揮発性メモリにプログラムとして予め記憶されており、ＣＰＵはプログラムを逐次的に実行する。演算制御部１１０は、血液成分分析装置１００を起動したのち、発光駆動部１４０に対して所定のパルス信号を出力するように指示するとともに、受光処理部１６０で処理された信号を受光量データとしてＲＡＭなどの揮発性メモリに格納するように指示する。
【００１８】
受光処理部１６０で処理されて出力された信号（以下、「出力信号」という）は、たとえば、演算制御部１１０に設けられたサンプルホールド回路（不図示）により所定のタイミングでサンプリングされ、Ａ／Ｄコンバータを介してディジタル値の受光量データに変換されてメモリに格納される。そして、演算制御部１１０は、格納された受光量データに基いて血糖値を算出して表示部１９０に出力する。
【００１９】
上記の出力信号のサンプリングのタイミングは、演算制御部１１０によって制御される。具体的には、サンプリングのタイミングは、発光素子１３０を発光させるタイミングと関連付けて決定される。より具体的には、演算制御部１１０は、発光素子１３０がパルス光を発光する直前の第１タイミングと、パルス光を発光中の第２タイミングとで、上記の出力信号のサンプリングをする。第２タイミングは、第１タイミングから所定時間経過後に設定することもできる。そして、演算制御部１１０は、第２タイミングでの出力信号の信号レベルと、第１タイミングでの出力信号の信号レベルとの差を受光量データとして格納し、血液成分量の算出に用いる。つまり、パルス光の消灯中と発光中での出力信号の信号レベルに基いて血液成分量を算出するといえる。より具体的には、演算制御部１１０は、第２タイミングでの出力信号の信号レベルから第１タイミングでの出力信号の信号レベルを差し引いた値に基いて血糖値を算出する。
【００２０】
本実施の形態では、試験紙１２１に血液を付着させる前後における試験紙１２１の吸光度に基づいて血糖値を算出する。血液を付着させる前の試験紙１２１は、白色に近い色であるため吸光度は小さい値を示す一方で、血液を付着させた後の試験紙１２１は、血液成分と試薬との反応が進行するにつれて発色して吸光度が増大する。このため、血液を付着させた後の吸光度としては、血液成分と試薬との反応が完結した状態に近づき吸光度の増加率が所定値以内となったときの吸光度を採用することが望ましい。演算制御部１１０は、算出手段として、メモリに格納された受光量データを利用して試験紙１２１に血液を付着させる前後における試験紙１２１の吸光度を算出したのち、吸光度とグルコース濃度との対応関係を利用して血糖値を算出する。吸光度とグルコース濃度との対応関係は、ルックアップテーブルとして予めＲＯＭなどの不揮発性メモリに記憶されているか、あるいは吸光度とグルコース濃度との関係式から計算される。
【００２１】
なお、試験紙１２１は、装着部１２０によって保持される。たとえば、装着部１２０は、血液成分分析装置１００の筺体（不図示）に取り付けられている。これにより試験紙１２１と、発光素子１３０および受光素子１５０との位置関係が定まる。
【００２２】
発光素子１３０は、試験紙１２１に向けて所定の間隔でパルス光を発光する素子である。発光素子１３０は、その発光面が試験紙１２１の方向を向くように血液成分分析装置１００の筺体に取り付けられている。発光素子１３０からの照射光は、図示されていないレンズによってスポット状に集光されて試験紙１２１を照射する。発光素子１３０は、たとえば、５００〜７２０ｎｍ程度の波長の範囲内で発光する発光ダイオード（ＬＥＤ）である。
【００２３】
発光駆動部１４０は、発光素子１３０にパルス信号を供給する駆動回路である。より具体的には、発光駆動部１４０は、演算制御部１１０の指示に基づいて発光素子１３０に所定のパルス幅、強度、および周期を有するパルス信号を供給する。発光素子１３０は、供給されたパルス信号に応じてこのパルス幅の期間だけ点灯し、次のパルス信号の立ち上がりまで消灯することを繰り返す。パルス幅は、概ね１０〜１０００μｓの範囲内であり、好適には１００μｓ程度である。また、周期は１ｍｓ〜１０ｍｓ程度であり、好適には２ｍｓ程度である。なお、パルス幅、強度、および周期は、他の構成要素の設計条件に応じて適宜変更されうる。
【００２４】
受光素子１５０は、受光手段として、パルス光が試験紙１２１で反射された反射光を受光して電流信号（光電流）に変換する素子である。受光素子１５０は、その受光面が試験紙１２１の方向に向くように血液成分分析装置１００の筺体に取り付けられる。受光素子１５０は、たとえば、フォトダイオード（ＰＤ）である。屋外で血液成分分析装置を作動させる場合、受光素子１５０には、パルス光が試験紙１２１で反射された反射光の他に太陽光などの外乱光も入射する可能性がある。一般に太陽光などの外乱光は、時間的に変動の小さい定常的な光であるので、１００Ｈｚ以下の低周波外乱光である。特に、太陽光は、時間的に変動の小さい光であり、その受光量の周波数が概ね０Ｈｚである。そのため、受光素子１５０は、パルス光が試験紙１２１で反射された反射光の成分が外乱光による直流成分によってバイアスされた電流信号を生成する。
【００２５】
受光処理部１６０は、受光素子１５０で変換された電気信号を信号処理する回路である。より具体的には、受光処理部１６０は、受光素子１５０で変換された電気信号をローパスフィルタに通して、交流成分を抑制した信号を生成する。ここで、交流成分を抑制した信号は、太陽光などの外乱光による電圧上昇分として抽出されることになる。次いで、この電圧上昇分を電気信号から差し引くように差動増幅して出力信号を得る。受光処理部１６０の詳細については後述する。受光素子１５０と受光処理部１６０とを合わせて、受光回路１７０を構成する。
【００２６】
操作部１８０は、操作者からの指示を演算制御部１１０に伝達する。操作部１８０は、たとえば押しボタンスイッチを有しており、血液成分分析装置１００の筐体に取り付けられる。操作者は、操作部１８０を介して血液成分分析装置１００の起動・停止、測定結果の表示などの指示をする。
【００２７】
表示部１９０は、演算制御部１１０で算出された血糖値を表示する。表示部１９０は、たとえば液晶表示パネルを有し、血液成分分析装置１００の筐体に取り付けられる。
【００２８】
以上のとおり構成される血液成分分析装置は、血液が付着した試験紙に向けて発光素子１３０がパルス光を発光し、パルス光が試験紙１２１で反射された反射光を、受光素子１５０が受光して電気信号に変換する。受光処理部１６０は、電気信号を濾波（フィルタリング）することによって当該電気信号の交流成分を抑制した濾波後の電気信号を生成する。そして、受光処理部１６０は、フィルタリング手段による濾波前の電気信号と濾波後の電気信号とを差動増幅して出力信号を得る。次いで、演算制御部１１０は、パルス光の消灯中と発光中での出力信号の信号レベルに基いて血液成分量を算出する。
【００２９】
次に、図１に示される受光処理部について、より詳しく説明する。図２は、図１に示される受光処理部の構成を説明するブロック図である。
【００３０】
図２に示すとおり、本実施の形態における血液成分分析装置１００の受光処理部１６０は、Ｉ／Ｖ変換回路（電流電圧変換回路）１６１、ローパスフィルタ回路１６２、差動増幅回路１６３を有する。以下、図２に示す受光処理部１６０の構成要素を順に説明する。
【００３１】
Ｉ／Ｖ変換回路１６１は、受光素子１５０によって受光量に応じて生成された電流信号（光電流）を電流電圧変換して電圧信号に変換する。この電圧信号が、ローパスフィルタ回路１６２および差動増幅回路１６３によって処理される電気信号となる。なお、受光素子１５０が受光量に応じた光電流ではなく光電圧を出力する電圧出力型の素子の場合には、Ｉ／Ｖ変換回路１６１は省略できる。
【００３２】
ローパスフィルタ回路１６２は、上記の電気信号（Ｉ／Ｖ変換回路１６１からの電圧信号）を濾波することによって当該電気信号の交流成分を抑制した濾波後の電気信号を生成するフィルタリング手段である。ローパスフィルタ回路１６２の入力端は、Ｉ／Ｖ変換回路１６１の出力端に接続される。ここで、濾波後の電気信号は、直流あるいは低周波数の外乱光による電圧上昇分に対応する。つまり、ローパスフィルタ回路１６２は、外乱光による電圧上昇分を抽出するものである。ローパスフィルタ回路１６２が遮断する周波数帯域は、ローパスフィルタの高域遮断周波数で決定される。高域遮断周波数よりも高い信号成分はローパスフィルタ回路１６２により大幅に抑制され、高域遮断周波数より低い低周波成分、好適には直流成分がローパスフィルタ回路１６２から出力される。ローパスフィルタ回路１６２の高域遮断周波数は、他の構成要素の設計条件に応じて、数Ｈｚ〜１ｋＨｚの間で設定することができ、より好適には、３００Ｈｚ以下、さらに好ましくは１００Ｈｚ以下に設定される。
【００３３】
差動増幅回路１６３は、ローパスフィルタ回路１６２による濾波前の電気信号と同回路１６２による濾波後の電気信号とを差動増幅して出力信号を得る差動増幅手段である。つまり、直流あるいは低周波数の外乱光による電圧上昇分を電気信号から差し引くように差動増幅することにより、電気信号が検出限界電圧まで飽和することを防止するものである。差動増幅回路１６３の第１の入力端には、ＩＶ変換回路１６１の出力端が電気的に接続されており、第２の入力端には、ローパスフィルタ回路１６２の出力端が電気的に接続されている。差動増幅回路１６３は、第１および第２入力端にかかる電圧の差分を所定の増幅率で増幅した出力電圧を出力端に出力する。
【００３４】
図３は、図２に示される受光処理部１６０の回路の一例を示す。
【００３５】
Ｉ／Ｖ変換回路１６１は、オペアンプＯＰ１と、帰還抵抗Ｒ１とを含む。帰還抵抗Ｒ１は、オペアンプＯＰ１の第１入力端と出力端との間に接続されている。オペアンプＯＰ１の第２入力端は、アースなどに接続されている。オペアンプＯＰ１の第１入力端には、受光素子１５０であるフォトダイオードの一端が接続されている。
【００３６】
ローパスフィルタ回路１６２は、互いに電気的に接続された抵抗Ｒ２とコンデンサＣ１とを有する。抵抗Ｒ２の両端のうち、コンデンサＣ１と接続されていない側の端部が、ローパスフィルタ回路１６２の入力端となり、コンデンサＣ１と接続されている側の端部が、ローパスフィルタ回路１６２の出力端となる。なお、コンデンサＣ１の両端のうち、抵抗Ｒ２と接続されていない側の端部は、アースなどに接続されている。
【００３７】
差動増幅回路１６３は、オペアンプＯＰ２と、抵抗Ｒ３、Ｒ４、Ｒ５、Ｒ６とを含む。帰還抵抗Ｒ３は、オペアンプＯＰ２の第１入力端と出力端との間に電気的に接続されている。抵抗Ｒ４、Ｒ６は、それぞれオペアンプＯＰ２の第１入力端および第２入力端に接続される入力抵抗である。抵抗Ｒ４、抵抗Ｒ６の各端部が、差動増幅回路１６３の第１入力端子および第２入力端子となる。なお、オペアンプＯＰ２の第２入力端は、抵抗Ｒ５を介してアースなどに接続されている。
【００３８】
差動増幅回路１６３の第１入力端子である抵抗Ｒ４には、Ｉ／Ｖ変換回路１６１の出力端であるオペアンプＯＰ１の出力端が電気的に接続されている。一方、差動増幅回路１６３の第２入力端子である抵抗Ｒ６には、ローパスフィルタ回路１６２の出力端が電気的に接続されている。つまり、第１入力端子には、ローパスフィルタ回路（フィルタリング手段）１６２による濾波前の電気信号Ｖｉｎ１が入力され、第２入力端子には、濾波後の電気信号Ｖｉｎ２が入力される。ここで、オペアンプの各入力端の電圧をＶ（−）、Ｖ（＋）とし、出力端の電圧をＶｏｕｔとすると、以下のとおりの関係が導かれる。
【００３９】
Ｖ（＋）＝（Ｒ５／（Ｒ６＋Ｒ５））＊Ｖｉｎ２
Ｖ（−）＝（Ｒ３／（Ｒ３＋Ｒ４））＊（Ｖｏｕｔ−Ｖｉｎ１）＋Ｖｉｎ１
ここで、Ｖ（＋）＝Ｖ（−）から、この差動増幅回路１６３の増幅率が求められる。なお、Ｒ３＝Ｒ５、Ｒ４＝Ｒ６であるとすると、Ｖｏｕｔ＝（Ｒ３／Ｒ４）（Ｖｉｎ１−Ｖｉｎ２）となる。
【００４０】
したがって、ローパスフィルタ回路１６２によって、外乱光による電圧上昇分に相当する濾波後の電気信号Ｖｉｎ２を抽出し、差動増幅回路１６３によって、電気信号Ｖｉｎ２を、濾波前の電気信号Ｖｉｎ１から差し引くように、所定の増幅率で差動増幅がされる。
【００４１】
以上のように構成される受光処理部１６０の作用について説明する。図４は、図２および図３に示す受光処理部の動作を説明するための波形図である。また、本実施形態の受光処理部による直流成分の抑制効果について詳しく説明するために比較例と比較しつつ説明する。図５（Ａ）は、図２に示す受光処理部に対する比較例としての受光処理部の構成を示すブロック図である。図５（Ｂ）は、図５（Ａ）の増幅回路の出力信号の波形図である。
【００４２】
図２および図３に示されるＩ／Ｖ変換回路１６１の出力端には、図４（Ａ）に示されるように、パルス光が試験紙で反射された反射光の成分が外乱光による直流または低周波成分によって基準電圧からバイアスされた電圧が出力される。基準電圧は受光素子１５０に光が照射されていない状態におけるＩ／Ｖ変換回路１６１の出力電圧である。
【００４３】
ローパスフィルタ回路１６２は、Ｉ／Ｖ変換回路１６１の出力電圧である電気信号の入力を受ける。ローパスフィルタ回路１６２は、電気信号を濾波して、電気信号の交流成分を抑制した濾波後の電気信号を生成する。具体的には、濾波後の電気信号は、直流あるいは低周波数の外乱光による電圧上昇分（バイアス相当分）に対応する。一般に太陽光などの外乱光は、時間的に変動の小さい定常的な光であるので、１００Ｈｚ以下の低周波外乱光である。特に、太陽光は、時間的に変動の小さい光であり、その受光量の周波数が概ね０Ｈｚである。したがって、ローパスフィルタ回路１６２は、図３に示すように、Ｉ／Ｖ変換回路１６１の出力信号から交流成分を除去し、直流成分、すなわち外乱光によるバイアス分を抽出した信号が出力される（図４（Ｂ））。
【００４４】
次いで、差動増幅回路１６３は、ローパスフィルタ回路１６２による濾波前の電気信号と同回路１６２による濾波後の電気信号とを差動増幅する。つまり、図４（Ａ）の信号から図４（Ｂ）の信号を差し引いて増幅率を乗じた出力信号（図４（Ｃ））を生成する。このように、差動増幅によれば、図４（Ａ）の信号から図４（Ｂ）の信号を差し引いた上で増幅することになるので、外乱光の影響を低減した出力信号が得られる。この結果、信号が増幅される際に検出限界電圧まで飽和することが防止される。
【００４５】
以上のように本実施の形態では、この結果、信号が増幅される際に検出限界電圧まで飽和することが防止されるのに対し、本実施の形態に対する比較例としての受光処理部１６０’は、飽和を防止することが困難である。つまり、比較例としての受光処理部１６０’は、図５（Ａ）に示すとおり、Ｉ／Ｖ変換回路１６１’および増幅回路１６３’を有しており、Ｉ／Ｖ変換回路１６１’は増幅回路１６３’に直接的に接続されている。受光処理回路１６０’では、Ｉ／Ｖ変換回路１６１’の電気信号との差動増幅をすることなく、Ｉ／Ｖ変換回路１６１’の電気信号を増幅するので、増幅回路１６３’の出力信号は、検出限界電圧まで飽和してしまう場合がある。たとえば、図５（Ｂ）に示すとおり、外乱光によるバイアス電圧が低いｖｂ１の場合、増幅回路１６３’の出力信号は飽和しない。しかしながら、外乱光によるバイアス電圧が高いｖｂ２の場合、増幅回路１６３’の出力信号は検出限界電圧まで飽和するので、破線で示す部分の信号が再現されない。
【００４６】
したがって、比較例の場合には、図５（Ｂ）に示されるように、信号が再現されていない部分があるため、正確に血糖値を測定することが困難である。一方、本実施の形態では、図４（Ｄ）に示されるように、差動増幅回路１６３からの出力信号に対してパルス光の消灯中（サンプリングタイミングＴ１）と発光中（サンプリングタイミングＴ２）でサンプリングし、パルス光の消灯中と発光中でサンプリングした出力信号の差分に基いて正確に血糖値を測定することができる。
【００４７】
なお、本実施の形態では、ローパスフィルタ回路１６２を用いて略直流成分の外乱光による電圧上昇分（バイアス相当分）を計算する一方、Ｉ／Ｖ変換回路１６１の電気信号をそのまま用いて、差動増幅回路１６３によって、Ｉ／Ｖ変換回路１６１の電気信号から電圧上昇分を差し引くので、バンドパスフィルタやハイパスフィルタなどを用いる場合と比べて、パルス波形の高周波成分に起因する波形の歪みが生じにくい。このように、パルス波形の高周波成分に起因する波形が歪まないので、サンプリングが容易である。つまり、波形が歪んで波形が尖っていると、ピークを捕えるのが難しく、回路のばらつきなどにより、サンプリングタイミングＴ２が変化した場合に測定値が大きく変動してしまう。これを防ぐためには、ピークホールド回路などが必要となるが、本実施の形態によれば、ピークホールド回路などが不要となる。特に、ピークホールド回路に必要なダイオードを省略することができるので、簡素化でき、１チップ化しやすくなる。
【００４８】
以上のとおり、説明した本実施の形態の血液成分分析装置およびその受光回路は、以下の効果を奏する。
【００４９】
本実施の形態の血液成分分析装置によれば、低周波または直流の外乱光による電圧上昇分をローパスフィルタ回路によって抽出して、この電圧上昇分を電気信号から差し引くように差動増幅するので、太陽光などの外乱光によるバイアスにより電気信号が検出限界電圧まで飽和することを防止することができる。
【００５０】
本実施の形態の血液成分分析装置によれば、ローパスフィルタ回路を用いて低周波または直流の外乱光による電圧上昇分を出力して電気信号から差し引くことができるので、Ｉ／Ｖ変換回路の出力をアナログディジタルコンバータ（ＡＤコンバータ）で取り込んで、プロセッサによって低周波または直流の外乱光による電圧上昇分を計算して、ＤＡコンバータで出力して、電気信号から差し引くような処理に比べて構成を簡略化できる。
【００５１】
差動増幅回路を用いることによって、差分を算出処理と増幅する処理とを統合的に一度に行うことができるので、回路の配置スペースを省略することができる。
【００５２】
なお、以上のように本実施の形態の血液成分分析装置を説明したが、本発明の血液成分分析装置はこの場合に限られない。
【００５３】
（変形例）
図６は、本実施の形態の血液成分分析装置における受光処理部の変形例を示す。本変形例において、受光処理部１６０は、マルチプレクサ１１１、Ａ／Ｄコンバータ１１２、および演算制御部１１０と同じ１チップＩＣとして構成されている。すなわち、ディジタル−アナログ回路混在のカスタムＩＣとして構成されている。図６に示されるように、１チップＩＣ２００は、演算制御部（ＣＰＵなど）１１０を搭載しつつ複数のオペアンプＯＰ１、ＯＰ２−１、ＯＰ２−２、ＯＰ２−３を有しており、外部端子にコンデンサＣ１、Ｃ２、抵抗Ｒ１、Ｒ２などを接続することにより、Ｉ／Ｖ変換回路１６１やローパスフィルタ回路１６２が構成できるようになっている。本実施の形態では、上記のように波形の歪みが生じにくく、ダイオードを含むピークホールド回路が不要となったため、１チップ化しやすくなっている。
【００５４】
また、本変形例のＩ／Ｖ変換回路１６１は、帰還抵抗Ｒ１と並列にコンデンサＣ２が接続されており、一種のフィルタ回路を構成している。したがって、Ｉ／Ｖ変換回路１６１は、受光素子１５０によって受光量に応じて生成された電流信号（光電流）を電流電圧変換して電圧信号に変換するとともに、蛍光灯などその他の交流成分を持つノイズを抑制する。したがって、このＩ／Ｖ変換回路１６１により交流成分ノイズを抑制した上で、さらに上述のローパスフィルタ回路部１６２と差動増幅回路１６３とにより太陽光など低周波または直流成分の外乱光の影響を軽減することができる。
【００５５】
さらに本変形例の差動増幅回路１６３は、第１バッファアンプＯＰ２−１、第２バッファアンプＯＰ２−２、および第３アンプＯＰ２−３の３つのアンプを有する差動アンプ（計装アンプ）となっている。本変形例では、第１バッファアンプＯＰ２−１の第１入力端（＋端子）および第２バッファアンプＯＰ２−２の第１入力端（＋端子）が、差動増幅回路１６３の第１入力端子および第２入力端子となる。
【００５６】
そして、第１バッファアンプＯＰ２−１の第２入力端（−端子）と第２バッファアンプＯＰ２−２の第２入力端（−端子）とは、抵抗Ｒ９を介して電気的に接続されている。第１バッファアンプＯＰ２−１の出力端と第２入力端との間には帰還抵抗Ｒ７が接続されている。同様に、第２バッファアンプＯＰ２−２の出力端と第２入力端との間には帰還抵抗Ｒ８が接続されている。第３アンプＯＰ２−３は、図３のオペアンプＯＰ２と同様であり、第３アンプＯＰ２−３の２つの入力端には、それぞれ抵抗Ｒ４、抵抗Ｒ６を介して、上記の第１バッファアンプＯＰ２−１の出力端と第２バッファアンプＯＰ２−２の出力端がそれぞれ電気的に接続されている。なお、本変形例の抵抗Ｒ５は、調整電圧Ｖｒｅｆを供給するＤ／Ａコンバータに接続されている。調整電圧Ｖｒｅｆは、演算制御部１１０によって制御することができる。
【００５７】
このような計装アンプを差動増幅回路１６３として用いることもでき、この場合、Ｒ７＝Ｒ８、Ｒ４＝Ｒ６、Ｒ３＝Ｒ５であるとすると、出力端の電圧をＶｏｕｔとすると、以下のとおりの関係が導かれる。
【００５８】
Ｖｏｕｔ＝−（Ｒ３／Ｒ４）（１＋２・Ｒ７／Ｒ９）（Ｖｉｎ１−Ｖｉｎ２）＋Ｖｒｅｆとなる。
【００５９】
したがって、ローパスフィルタ回路１６２によって、外乱光による電圧上昇分に相当する濾波後の電気信号Ｖｉｎ２を抽出し、差動増幅回路１６３によって、電気信号Ｖｉｎ２を、濾波前の電気信号Ｖｉｎ１から差し引くように、所定の増幅率で差動増幅がされる。また、調整電圧Ｖｒｅｆを調整することで、部品のばらつきに起因する影響などを軽減することもできる。
【００６０】
本変形例では、差動増幅回路１６３の出力端のみならず、Ｉ／Ｖ変換回路１６１の出力端も、たとえば図示しないサンプルホールド回路を介して、マルチプレクサ１１１の入力側に接続される。そして、マルチプレクサ１１１の出力側は、アナログディジタルコンバータ１１２に接続され、ディジタル化された差動増幅回路１６３の出力信号やＩ／Ｖ変換回路１６１の出力信号は、受光量データとして、図示していないメモリに格納される。ディジタル化された差動増幅回路１６３の出力信号は、血糖値を算出するのに用いられる。また、Ｉ／Ｖ変換回路１６１の出力信号は、種々の制御に用いることができる。
【００６１】
図６に示された変形例によっても、図４に示されたものと同様の作用効果を奏することができ、加えて、以下のような効果を奏する。
【００６２】
ダイオードを必要とするピークホールド回路が不要であるので、アナログ−ディジタル混在のカスタムＩＣ化がしやすくなる。
【００６３】
フィルタ機能を持つＩ／Ｖ変換回路１６１によって交流成分ノイズを軽減しつつ、太陽光などの低周波または直流成分の外乱光の影響については上記ローパスフィルタ回路部１６２と差動増幅回路１６３とにより影響を軽減することができる。
【００６４】
差動増幅回路１６３により、外乱光による電圧上昇分を電気信号から差し引くことによりバイアス相当分をキャンセルさせて飽和を防止し、さらに部品のばらつきなどによる変化については、調整電圧Ｖｒｅｆを制御することにより調整することができる。
【００６５】
以上のとおり、実施の形態および変形例において、本発明の血液成分分析装置および血液成分分析装置用の受光回路について説明した。しかしながら、本発明は、その技術思想の範囲内において当業者が適宜に追加、変形、および省略することができることはいうまでもない。
【００６６】
たとえば、本実施の形態では、演算制御部は、パルス光の消灯中と発光中との各時点での出力信号の信号レベル間の差分に基いて血糖値を算出する方法を説明した。しかしながら、演算制御部が血糖値を算出する方法は上記の方法に限定されない。たとえば、演算制御部は、パルス光の消灯中と発光中との各時点での出力信号にそれぞれ所定の補正係数を乗じた上で差分を計算して血糖値を算出することもできる。
【００６７】
また、本実施の形態では、サンプルホールド回路が演算制御部に内蔵される場合を説明した。しかしながら、変形例において述べたように、サンプルホールド回路は、受光処理部に内蔵されてもよい。
【００６８】
また、本発明は、血糖値を算出するのに好適に用いることができるが、パルス波の透過光や反射光の受光量を定量的に測定して血液成分分析を行う分野において広く利用できることはもちろんである。
【符号の説明】
【００６９】
１００  血液成分分析装置、
１１０  演算制御部（算出手段）、
１２０  装着部、
１２１  試験紙（試験片）
１３０  発光素子（発光手段）、
１４０  発光駆動部、
１５０  受光素子（受光手段）、
１６０  受光処理部（フィルタリング手段、差動増幅手段）、
１６１  Ｉ／Ｖ変換回路、
１６２  ローパスフィルタ回路、
１６３  差動増幅回路、
１７０  受光回路、
１８０  操作部、
１９０  表示部。
【図１】
0005530832.tif 000002
【図２】
0005530832.tif 000003
【図３】
0005530832.tif 000004
【図４】
0005530832.tif 000005
【図５】
0005530832.tif 000006
【図６】
0005530832.tif 000007